(57)【要約】【課題】施工効率よく地盤の樹林化が可能な苗木用客土注入マット、及びそれを用いた法面の樹林化工法を提供する。【解決手段】少なくとも遮光性と不透水性を有するマルチングシート１，１，…と、網状のシート３から形成された袋体２と、を備え、マルチングシート１，１，…を、袋体２の表面側の網状のシート３１を覆うように、この袋体２に取付ける構成とする。【選択図】図５
2006104711.tif 000002
【特許請求の範囲】
【請求項１】
少なくとも遮光性と不透水性を有するマルチングシートと、網状のシートから形成された袋体と、を備えた苗木用客土注入マットであって、
前記マルチングシートは、該袋体の表面側の網状のシートを覆うように、この袋体に取付けられた、
ことを特徴とする苗木用客土注入マット。
【請求項２】
前記マルチングシートは、前記袋体の外周の一辺に沿って、少なくとも２枚以上取付けられ、
隣り合うマルチングシートにおいて、一方のマルチングシートは他方のマルチングシートの端部を覆うように重なりしろをもって配設された、請求項1記載の苗木用客土注入マット。
【請求項３】
前記網状のシートから形成される袋体は、表面側を形成する表面網状シート及び裏面側を形成する裏面網状シートの二枚からなり、
これら網状シートは、非生分解性素材で編み込まれた補強部で四周が区画されると共に、前記裏面網状シートの補強部で区画された領域において、編み込まれる横糸及び縦糸の少なくともどちらか一方が生分解性素材で構成された、請求項1又は２記載の苗木用客土注入マット。
【請求項４】
前記裏面網状シートの補強部で区画された領域において、編み込まれる横糸が生分解性素材で構成されると共に、縦糸が非生分解性素材で構成された、請求項３記載の苗木用客土注入マット。
【請求項５】
前記表面網状シートの少なくとも略中央から法尻方向にかけての部分が、非伸縮性糸で構成された、請求項３又は４記載の苗木用客土注入マット。
【請求項６】
請求項１乃至５のいずれか１項記載の苗木用客土注入マットを法面に敷設し、該苗木用客土注入マット内に客土を注入し、苗木を配植する、
ことを特徴とする法面の樹林化工法。
【請求項７】
前記客土は、団粒化させた泥状客土である請求項６記載の法面の樹林化工法。  
【発明の詳細な説明】
【技術分野】
【０００１】
本発明は、苗木用客土注入マット及びそれを用いた法面の樹林化工法に関するものである。
【背景技術】
【０００２】
従来、苗木を法面に配植する場合に、苗木の生育に支障をきたす雑草の発芽を防止等するために、苗木の周りの地面を覆うマルチングシートが知られている（例えば、特許文献１参照）。
【特許文献１】特開２００１−２７５４９７号公報（２乃至４頁、図１）
【発明の開示】
【発明が解決しようとする課題】
【０００３】
上記マルチングシートを用いた法面の樹林化工法では、まず、法面の地山を予め掘って苗木を配植し、その後、現地発生土を埋め戻したり、客土を盛る必要があった。しかしながら、法面の地山を配植する苗木ごとに予め掘ることは、施工手間が掛かり、また客土を盛る場合で、例えば、水分を含んだ泥状客土のときには、客土の整形等が難しく、施工が困難であった。
【０００４】
そこで、本発明の主たる課題は、施工効率よく地盤の樹林化が可能な苗木用客土注入マット、及びそれを用いた法面の樹林化工法を提供することにある。
【課題を解決するための手段】
【０００５】
上記課題を解決した本発明は、次のとおりである。
＜請求項１記載の発明＞
請求項１記載の発明は、少なくとも遮光性と不透水性を有するマルチングシートと、網状のシートから形成された袋体と、を備えた苗木用客土注入マットであって、前記マルチングシートは、該袋体の表面側の網状のシートを覆うように、この袋体に取付けられた、  ことを特徴とする苗木用客土注入マットである。
【０００６】
（作用効果）
マルチングシートは、袋体の表面側の網状のシートを覆うように、この袋体に取付けられた構成となっていることにより、苗木を配植する際の地面の掘削作業が不要であると共に、客土は網状のシート内に注入すればよく、特に客土の整形は必要としない。また、袋体は網状のシートであることにより、客土が水分を含んだ泥状客土のときでは、余剰水を排出することができると共に、水分補給においても地面からの湧水や地表面流により容易に行うことができる。さらに、少なくとも遮光性と不透水性を有するマルチングシートが客土を注入する袋体と一体化しているので、マルチング施工の手間が軽減される。
【０００７】
＜請求項２記載の発明＞
請求項２記載の発明は、前記マルチングシートは、前記袋体の外周の一辺に沿って、少なくとも２枚以上取付けられ、隣り合うマルチングシートにおいて、一方のマルチングシートは他方のマルチングシートの端部を覆うように重なりしろをもって配設された、請求項1記載の苗木用客土注入マットである。
【０００８】
（作用効果）
マルチングシートは、前記袋体の外周の一辺に沿って、少なくとも２枚以上取付けられ、隣り合うマルチングシートにおいて、一方のマルチングシートは他方のマルチングシートの端部を覆うように重なりしろをもって配設された構成とされることにより、苗木を配植する際には、網状シートに切込みを入れ、さらに、隣り合うマルチングシートの少なくともどちらか一方に切込みを入れて、その切込みに苗木を挟み込みつつ植え込めばよいので、苗木の配植手間とマルチング施工の手間が軽減される。
ここで、「隣り合う」関係は、左右方向のみならず、上下方向や斜め方向等にも成立するものとする。
【０００９】
＜請求項３記載の発明＞
請求項３記載の発明は、前記網状のシートから形成される袋体は、表面側を形成する表面網状シート及び裏面側を形成する裏面網状シートの二枚からなり、これら網状シートは、非生分解性素材で編み込まれた補強部で四周が区画されると共に、前記裏面網状シートの補強部で区画された領域において、編み込まれる横糸及び縦糸の少なくともどちらか一方が生分解性素材で構成された、請求項1又は２記載の苗木用客土注入マットである。
【００１０】
（作用効果）
網状シートは、非生分解性素材で編み込まれた補強部で四周が区画されると共に、前記裏面網状シートの補強部で区画された領域において、編み込まれる横糸及び縦糸の少なくともどちらか一方が生分解性素材で構成されているので、裏面網状シートを地盤に面するように敷設し、苗木の配植を行えば、生分解性素材の糸が施工数ヵ月後には腐食するため、苗木の根の生育を阻害することはない。
【００１１】
＜請求項４記載の発明＞
請求項４記載の発明は、前記裏面網状シートの補強部で区画された領域において、編み込まれる横糸が生分解性素材で構成されると共に、縦糸が非生分解性素材で構成された、請求項３記載の苗木用客土注入マットである。
【００１２】
（作用効果）
前記裏面網状シートの補強部で区画された領域において、編み込まれる横糸が生分解性素材で構成されると共に、縦糸が非生分解性素材で構成されているので、施工数ヵ月後には横糸は腐食するため、苗木の根の生育を阻害することはなく、また、縦糸は腐食せずに残ることにより、例えば、法面に敷設された場合には、注入された客土が浸食されたり崩壊してしまう虞を最小限にすることができる。
【００１３】
＜請求項５記載の発明＞
請求項５記載の発明は、前記表面網状シートの略中央から法尻方向にかけての部分が、非伸縮性糸で構成された、請求項３又は４記載の苗木用客土注入マットである。
【００１４】
（作用効果）
前記表面網状シートの少なくとも略中央から法尻方向にかけての部分が、非伸縮性糸で構成されていることにより、客土が注入されたときの客土の重みによって客土の型崩れをなくすることができる。
【００１５】
＜請求項６記載の発明＞
請求項６記載の発明は、請求項１乃至５のいずれか１項記載の苗木用客土注入マットを法面に敷設し、該苗木用客土注入マット内に客土を注入し、苗木を配植する、ことを特徴とする法面の樹林化工法である。
【００１６】
＜請求項７記載の発明＞
請求項７記載の発明は、前記客土は、団粒化させた泥状客土である請求項６記載の法面の樹林化工法である。
【００１７】
（作用効果）
請求項６又は７記載の発明によれば、施工効率よく法面の樹林化を行うことができる。
【００１８】
＜請求項１乃至５記載の発明の実施態様＞
苗木用客土注入マットに係る請求項１乃至５記載の発明の実施態様として、以下の態様も提案できる。
第１の実施態様として、前記網状のシートから形成される袋体が、表面側を形成する表面網状シート及び裏面側を形成する裏面網状シートの二枚からなり、これら網状シートは、非生分解性素材で編み込まれた外周補強部で四周が区画され、該網状シートの長辺方向を端から見て、それぞれ対向する長辺方向の外周補強部を連結するように、非生分解性素材で編み込まれた第１、第２及び第３の縦補強部が形成されることにより、苗木を植生するための区画が４つ形成され、前記第２の縦補強部は、その部分全体で表面網状シート及び裏面網状シートを縫合して中仕切りを形成し、前記第１及び第３の縦補強部には、網状を形成する縦糸及び横糸よりも径の太いロープが縫合されていると共に、該ロープは所望の間隔をもって表面網状シート及び裏面網状シートを縫合している構成とされ、前記裏面網状シートの外周補強部並びに第１、第２及び第３の縦補強部で区画された領域において、編み込まれる横糸及び縦糸の少なくともどちらか一方が生分解性素材で構成された、請求項1又は２記載の苗木用客土注入マットも提案できる。
【００１９】
第１の実施態様の作用効果としては、外周補強部並びに第１、第２及び第３の縦補強部で苗木を植生するための領域が４つ区画されており、一つの苗木用客土注入マットの敷設で苗木を４本配植することができ、この苗木用客土注入マットを地面に複数敷設することにより、様々なデザインで植栽の配置ができる。
また、これら補強部と共に、第１及び第３の縦補強部には、網状を形成する縦糸及び横糸よりも径の太いロープが縫合されていると共に、該ロープは所望の間隔をもって表面網状シート及び裏面網状シートを縫合している構成とされていることにより、注入される客土の重みによる客土の型崩れをなくすことができるので、法面に使用した場合の客土の厚みの不均一さをなくすことができる。そのため、袋体内への苗木の配植は、網状のシート短辺方向では任意の位置で行うことができる。
さらに前記裏面網状シートの外周補強部並びに第１、第２及び第３の縦補強部で区画された領域において、編み込まれる横糸及び縦糸の少なくともどちらか一方が生分解性素材で構成されているので、裏面網状シートを地盤に面するように敷設し、苗木の配植を行えば、生分解性素材の糸が施工数ヵ月後には腐食するので、苗木の根の生育を阻害することはない。
【００２０】
また、第２の実施態様として、前記裏面網状シートの外周補強部並びに第１、第２及び第３の縦補強部で区画された領域において、編み込まれる横糸が生分解性素材で構成されると共に、縦糸が非生分解性素材で構成された、第１の実施態様の苗木用客土注入マットも提案できる。
【００２１】
第２の実施態様の作用効果としては、前記裏面網状シートの外周補強部並びに第１、第２及び第３の縦補強部で区画された領域において、編み込まれる横糸が生分解性素材で構成されているので、施工数ヵ月後には横糸は腐食するため、苗木の根の生育を阻害することはなく、また、縦糸は腐食せずに残ることにより、例えば、法面に敷設された場合には、注入された客土が浸食されたり崩壊してしまう虞を最小限にすることができる。
【００２２】
さらに、第３の実施形態として、前記網状シートにおいて、それぞれ対向する短辺方向の外周補強部を連結するように、非生分解性素材で編み込まれた横補強部が、前記網状シート短辺方向に所望の間隔をもって複数形成された、第１又は第２の実施態様の苗木用客土注入マットも提案できる。
【００２３】
第３の実施態様の作用効果としては、横補強部が、網状シート短辺方向に所望の間隔をもって複数形成されているので、さらに注入される客土の重みによる客土の型崩れ防止を強化でき、法面に使用した場合の客土の厚みの不均一さを一層なくすことができる。
【発明の効果】
【００２４】
本発明によれば、施工効率よく地盤の樹林化が可能である等の利点がもたらされる。
【発明を実施するための最良の形態】
【００２５】
以下、本発明の実施の形態を説明する。
＜苗木用客土注入マットの全体構成＞
苗木用客土注入マットの全体構成について、主に図１乃至４に基づき説明する。なお、図１は本発明に係る苗木用客土注入マットの平面図であり、図２は隣り合うマルチングシートの重なり合いを説明するためのＡ−Ａ断面図であり、図３は網状シートからなる袋体の平面図であり、図４は網状シートの部分拡大図である。
本発明に係る苗木用客土注入マットは、少なくとも遮光性と不透水性を有するマルチングシート１,１，…と、網状シート３から形成された袋体２と、を備えており、マルチングシート１,１，…は、袋体２の表面側を形成する表面網状シート３１を覆うように、この袋体２に取付けられた構成となっている。このマルチングシート１,１，…は、図１に示す実施の形態では、袋体２の外周の長辺方向の一辺（図３に示す３Ａ）に沿って縫合等により５枚取付けられており、隣り合うマルチングシート１,１において、図２に示すように、一方のマルチングシート１の側端部は他方のマルチングシート１の側端部を覆うように重なりしろＫをもって配設されている。
【００２６】
マルチングシート１，１，…は、少なくとも遮光性と不透水性を有しており、その遮光性によって苗木の生育に支障をきたす雑草の発芽を防止すると共に、不透水性によって水分の蒸発を防いで（乾燥防止）、苗木の枯れを防止することができる。このマルチングシート１，１，…の材質としては、ポリエチレンクロスラミネートシート等が考えられる。マルチングシート１，１，…が、袋体２と一体化していることにより、樹林化作業において、袋体２への客土の注入の際には、マルチングシート１，１，…をめくって網状シート２を露出させておき、客土の注入や苗木の植え込みを終えた後に、マルチングシート１，１，…で苗木を覆し、後述するようにピン等での固定作業をするだけで苗木による樹林化作業が終了してしまうので苗木の配植手間とマルチング施工の手間が軽減される。また、マルチングシート１，１，…が、重なり合う暖簾状であることにより、図５に示すように、重ねられる方のマルチングシート１を側端縁から重なりしろＫの際の部分まで切込み１２を入れ、切込み１２に苗木Ｎを挟み込みつつ配植し、そして苗木Ｎの根元近傍までマルチングシート１，１で覆うことで、隣り合うマルチングシート１，１の隙間からの日差しの差込や水分の蒸発を防ぐことができる。この重なりしろＫの長さとしては、袋体２内に客土を充填し終えた状態で、１０ｃｍ〜１５ｃｍ程度あればよい。なお、図１や図５に示す実施の形態では、苗木Ｎを４本配植するものであるためマルチングシート１，１，…は５枚であるが、本発明はこの枚数に限定されるものではなく、苗木Ｎを１本配植するものであれば、重なりしろが形成されればよいことから、マルチングシートの枚数は少なくとも２枚袋体に取付けられればよい。そして、一つの袋体に苗木Ｎを複数本は移植するのであれば、それに応じてマルチングシートの枚数を増やせばよい。
【００２７】
マルチングシート１，１，…の長辺及び短辺の長さとしては、マルチングシート１，１，…の短辺方向の長さは、袋体２の長辺方向の長さよりも若干長く、約１０ｃｍ程度長くしている。これは、図７に示すように、袋体２内に客土が充填された状態でも表面網状シート３１を覆うようにするため、及びマルチング処理のしやすさを考慮してのことである。そのため、後述するように、マルチング処理の際に、余分な部分（袋体２内に客土が充填された状態での、マルチングシート１，１，…の短辺方向長さから袋体２の短辺長さを除いた部分）は、図５及び図７に示すように、巻き取ってインシュロック４等により結束して固定すればよい。また、重なりしろＫを形成する方向の長さ、すなわち図１に示す袋体２の長辺方向の長さは、袋体２の長さと同等程度であればよく、好ましくは、袋体２内に客土が充填された状態でも、表面網状シート３１を覆うように、袋体２の長さよりも若干長いことが望ましい。
【００２８】
次に、袋体２を形成する網状シート３について説明する。袋体２は、表面側を形成する表面網状シート３１及び裏面側を形成する裏面網状シート３２の二枚からなっている。ここで、表面及び裏面の意味であるが、マルチングシート１，１，…に接触している面を表面側といい、袋体２が地面に敷設される際に、地面に接して置かれる面を裏面側と便宜的に命名するものである。袋体２は網状シート３で形成されていることにより、法面に敷設される場合は特に、客土が水分を含んだ泥状客土のときに、余剰水を排出することができると共に、水分補給においても地面からの湧水や地表面流により容易に行うことができる。なお、網目間隔（縦糸３３と横糸３４で形成される網目間隔）は、１〜１０ｍｍピッチ程度が好ましく、より好適には１〜５ｍｍピッチ程度、さらに好ましくは２〜５ｍｍピッチ程度である。
【００２９】
表面網状シート３１及び裏面網状シート３２の網状シート３は、図３に示すように、非生分解性素材で編み込まれた外周補強部３Ａ，３Ａ，…で四周が区画され、網状シート３の長辺方向を端から見て、それぞれ対向する長辺方向の外周補強部３Ａ，３Ａを連結するように、非生分解性素材で編み込まれた第１、第２及び第３の縦補強部３Ｂ，３Ｃ，３Ｄが形成されることにより、苗木Ｎを植生するための区画が４つ形成されている。このうち、第２の縦補強部３Ｃは、その部分全体で表面網状シート３１及び裏面網状シート３２を縫合して中仕切りを形成しており、図６に示すように、この第２の縦補強部３Ｃを境として客土の流入・移動が無いようになっている。そして、第１及び第３の縦補強部３Ｂ，３Ｄには、後述する網状を形成する縦糸３３，３３，…及び横糸３４，３４，…よりも径の太いロープ３５が縫合されていると共に、このロープ３５は所定の間隔をもって表面網状シート３１及び裏面網状シート３２を縫合している。このロープ３５は、第１及び第３の縦補強部３Ｂ，３Ｄそれぞれについて１本通しとなっており、客土に対して均一な応力が加えられ、客土の厚みの均一な管理がしやすくなっている。すなわち、第１及び第３の縦補強部３Ｂ，３Ｄにより、苗木用客土注入マットが法面に敷設された場合に、注入される客土の重みによる客土の型崩れ（図１０参照）をなくすことができるので、図７に示すように、客土の厚みの不均一さをなくすことができ、そのため、袋体２内への苗木の配植は、網状シート３の短辺方向では両端部分を除いて任意の位置で行うことができる。
【００３０】
また、本実施の形態では、図３に示すように、網状シート３において、それぞれ対向する短辺方向の外周補強部３Ａ，３Ａを連結するように、非生分解性素材で編み込まれた横補強部３Ｅ，３Ｅ，…が、網状シート２の短辺方向に所望の間隔をもって複数形成されている。そのため、第１及び第３の縦補強部３Ｂ，３Ｄと協動して、注入される客土の重みによる客土の型崩れ防止をさらに強化でき、法面に使用した場合の客土の厚みの不均一さを一層なくすことができる。また、第１及び第３の縦補強部３Ｂ，３Ｄと横補強部３Ｅ，３Ｅ，…との交差する部分を、ロープ３５の表面網状シート３１と裏面網状シート３２との縫合箇所とすれば、図４に示すように、ロープ３５と横補強部３Ｅ，３Ｅ，…とが縫合箇所を中心として略格子状になり、より一層、均一に客土に応力を加えることができる。
【００３１】
なお、ロープ３５が表面網状シート３１及び裏面網状シート３２を縫合していない部分においては、第２の縦補強部３Ｃの中仕切りとは異なり、図６に示すように、客土の流入・移動ができるようになっている。すなわち、第１植生区画２１（短辺方向の外周補強部３Ａ、長辺方向の外周補強部３Ａ，３Ａ及び第１の縦補強部３Ｂによって区画された苗木を植え込むための区画）、及び第２植生区画２２（第１の縦補強部３Ｂ、長辺方向の外周補強部３Ａ，３Ａ及び第２の縦補強部３Ｃによって区画された苗木を植え込むための区画）では、それぞれの区画の客土の流入・移動が可能であり、同様に、第３植生区域２３（第２の縦補強部３Ｃ、長辺方向の外周補強部３Ａ，３Ａ及び第３の縦補強部３Ｄによって区画された苗木を植え込むための区画）、及び第４植生区域２４（第３の縦補強部３Ｄ、長辺方向の外周補強部３Ａ，３Ａ及び短辺方向の外周補強部３Ａによって区画された苗木を植え込むための区画）でもそれぞれの区画の客土の流入・移動が可能であるが、第２の縦補強部３Ｃを境として隣接する第２植生区画２２と第３植生区画２３との間の客土の流入・移動はない。
【００３２】
なお、袋体２を法面に設置する場合に、表面網状シート３１の略中央から法尻方向にかけての部分を非伸縮性糸で構成すれば、注入される客土の重みによる客土の型崩れ（図１０参照）をより一層なくすことができる。この際、表面網状シート３１の略中央から法肩側にかけての部分については、伸縮性糸で構成してもよいし、非伸縮性糸で構成してもよい。
【００３３】
網状シート３の大きさとしては、図３に示すように、長辺方向の仕上がり寸法Ｌ（短辺方向の外周補強部３Ａ，３Ａの内々寸法）では１７００ｍｍ以上（袋体長さ寸法としては１８００ｍｍ以上）、短辺方向の仕上がり寸法Ｈ（長辺方向の外周補強部３Ａ，３Ａの内々寸法）としては６００ｍｍ以上（袋体幅寸法としては７００ｍｍ以上）が好ましい。この大きさであれば、第１植生区画２１及び第２植生区画２２には合わせて客土を４０リットル以上注入することができる。同様に、第３植生区域２３及び第４植生区域２４にも合わせて客土を４０リットル以上注入することができる。そのため、両端部を除いて全体として客土の厚みが２０ｃｍ以上確保できることにより、水分の確保等がしやすくなり、苗木の生育環境として十分なものとすることができる。
【００３４】
外周補強部３Ａ，３Ａ，…には、貫通孔３Ｆ，３Ｆ，…が形成されており、Ｌ型アンカーピン５等により地面への苗木用客土注入マットの固定や、マルチングシート１，１，…と袋体２とのインシュロック４等の結束を行うことができる。図５に示すように、法面に苗木用客土注入マットを敷設する際には、法肩側の貫通孔３Ｆ，３Ｆ，…にＬ型アンカーピン５等により地山への固定を行い、法尻側の貫通孔３Ｆ，３Ｆ，…においてＬ型アンカーピン５等により地山への固定を行う。それと共に、マルチングシート１，１，…の重なりしろＫ近傍の貫通孔３Ｆ，３Ｆ，…において、マルチングシート１，１，…の重なりしろＫで、隣接するマルチングシート１，１のそれぞれと袋体２とをインシュロック４等で結束を行う。このインシュロック４等により、重なりしろＫで、隣接するマルチングシート１，１を結束すると同時に、袋体２とマルチングシート１，１，…とを固定することができる。
【００３５】
なお、実施の形態では、苗木を植える区画として４区画形成されたものを示したが、本発明は４区画のもの（つまり、苗木を４本配植するもの）に限定されない。１区画のものでもよいし、２以上の区画からなるものでもよい。すなわち、苗木をｎ本は移植するのであれば、ｎ区画形成すればよいし、その場合、前述したマルチングシートはｎ＋１枚袋体に取付ければよいことになる。
【００３６】
上記実施の形態では、袋体２の外周補強部３Ａの長辺方向の一辺に沿ってマルチングシート１，１，…が縫合等により取付けられていたが、本発明はこれに限定されるものではない。図示はしないが、上方から流れ落ちる雨水を隣り合うマルチングシート１の側端部から内部に侵入させるため、上下方向に重なりしろＫが形成されるように袋体２の外周補強部３Ａの短辺方向の一辺にマルチングシート１，１，…を取付けてもよい。この際、図示はしないが、法尻側に位置する袋体２の外周補強部３Ａと法尻側に位置するマルチングシート１の下方側端部とを縫合等により取付けておけば、内部に侵入した雨水がそのまま下方に流れることなく、袋体２内に留まらせることができると共に、保水性を向上させることができる。
【００３７】
＜網状シートの素材構成＞
本発明に係る網状シートの素材構成について、主に図３及び図４に基づき説明する。
前述のように、表面網状シート３１及び裏面網状シート３２の網状シート３の外周補強部３Ａ，３Ａ，…、第１、第２及び第３の縦補強部３Ｂ，３Ｃ，３Ｄ、横補強部３Ｅ，３Ｅ，…、及びロープ３５は非生分解性素材で構成されている。ここで、非生分解性素材には、例えば、ポリエステル、ポリエチレン、ナイロン、ビニロン、アクリル、ポリプロピレン、ガラス、カーボン、セラミック等が含まれている。したがって、これら袋体２の骨格に相当する部分については、経時的に腐食し難くなっているので、客土の侵食や崩壊を長期的に防止することができる。
【００３８】
裏面網状シート３２については、外周補強部３Ａ，３Ａ，…並びに第１、第２及び第３の縦補強部３Ｂ，３Ｃ，３Ｄで区画された領域において、編み込まれる横糸３４及び縦糸３３の少なくともどちらか一方が生分解性素材で構成されている。ここで、生分解性素材には、例えば、綿、麻、絹、椰子などの天然繊維やレーヨン、アセテート、キュプラ等が含まれている。このことによって、施工数ヵ月後には少なくともどちらか一方は腐食するため、苗木Ｎの根の生育を阻害することはなくなる。
【００３９】
また、外周補強部３Ａ，３Ａ，…並びに第１、第２及び第３の縦補強部３Ｂ，３Ｃ，３Ｄで区画された領域において、編み込まれる横糸３４を生分解性素材で構成されると共に、縦糸３３を非生分解性素材で構成すれば、縦糸３３については、経時的に腐食し難くなっているので、表面網状シート３１及び裏面網状シート３２の網状シート３の外周補強部３Ａ，３Ａ，…、第１、第２及び第３の縦補強部３Ｂ，３Ｃ，３Ｄ、横補強部３Ｅ，３Ｅ，…、及びロープ３５と協動して、より一層、客土の侵食や崩壊を長期的に防止することができる。
【００４０】
表面網状シート３１については、編み込まれる横糸３４及び縦糸３３の両方を非生分解性素材で構成されている。しかしながら、少なくともどちらか一方を生分解性素材で構成してもよい。
【００４１】
＜苗木用客土注入マットを用いた法面樹林化工法＞
苗木用客土注入マットを用いた法面樹林化工法について、主に図５乃至図８に基づいて説明する。なお、図５は苗木用客土注入マットに苗木を植え込んだ状態を示す平面図であり、図６はそのＢ−Ｂ断面であり、図７はそのＣ−Ｃ断面であり、図８は袋体への客土の注入を説明するための説明図であり、図9は袋体へ苗木の植え込むための切込みを説明するための説明図である。
【００４２】
まず、法面樹林化工法について説明する前に、客土Ｓを袋体２への注入するための客土注入装置（図示せず）を説明する。この客土注入装置は、客土を圧送するためのポンプ（図示せず）と、客土を法面に敷設された袋体まで搬送するための圧送ホース（図示せず）と、圧送ホースの先端に連結された注入ノズル６と、を備えている。なお、後述するように、客土を団粒化させるためには、保水団粒形成剤を土壌に混ぜ込む必要があるが、その際には、この保水団粒形成剤を圧送するポンプ（図示せず）と、保水団粒形成剤を搬送するための供給ホース（図示せず）を備えればよく、このうち供給ホースの先端を客土用圧送ホースの中間部分（より具体的には、注入ノズル６先端から、０．３ｍ〜１０ｍ、好適には０．３ｍ〜５ｍ離れた位置の供給ホースに取付けられたＹ字管）に連結することにより、この中間部分から注入ノズル６までの間で客土と保水団粒形成剤を混ぜ合わせ、注入ノズル６の先端から、団粒化した客土Ｓを吐出させればよい。なお、使用される土壌としては、現地発生土や黒土等を用いることができる。
【００４３】
苗木用客土注入マットを用いた法面樹林化工法としては、まず、苗木用客土注入マットの法面への敷設の前に、敷設予定の法面の地山の清掃や除草を予め行っておく。そして、苗木用客土注入マットを法面に敷設し、図5に示すように、貫通孔３Ｆ，３Ｆ，…にＬ型アンカーピン５等を挿入し、苗木用客土注入マットを法面に固定する。
【００４４】
次に、図8に示すように、袋体２の表面網状シート３１の一部に切込みを入れ、客土Ｓを注入するための吹付ノズル６を挿入するための客土注入口１３を形成する。なお、この客土注入口１３については、第１植生区画２１及び第２植生区画２２への客土Ｓの注入の場合で説明すると、第１植生区画２１及び第２植生区画２２内に客土Ｓが十分に充填されるようにするためには、図8に示すように、法肩側に形成したほうが、客土Ｓが充填されやすくなるので好ましく、また法肩側であれば横方向の位置は任意でよい。なお、第３植生区域２３及び第４植生区域２４についても同様に行う。
【００４５】
注入する客土Ｓとしては、植物の生育性の観点から通気性や保水性等があり、また、施工性の観点から余剰水の排水性が高い等の理由により、前述した団粒化された土壌であることが好ましく、より好ましくは団粒化させた泥状土壌（客土）が望ましい。
【００４６】
次に、客土Ｓを充填した後は、苗木を袋体2内に配植するために、図9に示すように、所望の位置に切込み１１を入れ、この切込み１１から客土Ｓ内に苗木を植え込めばよい。この切込み１１の切込み方向は、図９に示すような縦方向でなくても、横方向に形成してもよい。ただし、縦方向と横方向をクロスさせて切り込むことは好ましくはない。
【００４７】
その後、図５に示すように、重ねられる方のマルチングシート１を側端縁から重なりしろＫの際の部分まで切込み１２を入れ、切込み１２に苗木Ｎを挟み込みつつ配植し、そして苗木Ｎの根元近傍までマルチングシート１，１で覆う。そして、マルチングシート１，１の余分な部分を巻き取り、重なりしろＫの一部分に穴（図示せず）を開け、その穴と貫通孔３Ｆ，３Ｆ，…とをインシュロック４等により連結し袋体２とマルチングシート１，１とを一体化させ、このマルチングシート１，１により、袋体２の表面網状シート３１を覆ってやればよい。
【図面の簡単な説明】
【００４８】
【図１】本発明に係る苗木用客土注入マットの平面図である。
【図２】隣り合うマルチングシートの重なり合いを説明するためのＡ−Ａ断面図である。
【図３】網状シートからなる袋体の平面図である。
【図４】網状シートの部分拡大図である。
【図５】苗木用客土注入マットに苗木を植え込んだ状態を示す平面図である。
【図６】そのＢ−Ｂ断面である。
【図７】そのＣ−Ｃ断面である。
【図８】袋体への客土の注入を説明するための説明図である。
【図９】袋体へ苗木の植え込むための切込みを説明するための説明図である。
【図１０】法面に敷設した苗木用客土注入マットの比較例の断面図である。
【符号の説明】
【００４９】
１…マルチングシート、２…袋体、３…網状シート、３Ａ…外周補強部、３Ｂ…第１の縦補強部、３Ｃ…第２の縦補強部、３Ｄ…第３の縦補強部、３Ｅ…横補強部、３Ｆ…貫通孔、４…インシュロック、５…Ｌ型アンカーピン、６…注入ノズル、１１…切込み（網状シート側）、１２…切込み（マルチングシート側）、１３…客土注入口、２１…第１植生区画、２２…第２植生区画、２３…第３植生区画、２４…第４植生区画、３１…表面網状シート、３２…裏面網状シート、３３…縦糸、３４…横糸、３５…ロープ、Ｋ…重なりしろ、Ｎ…苗木、Ｓ…客土。
【図１】
2006104711.tif 000003
【図２】
2006104711.tif 000004
【図３】
2006104711.tif 000005
【図４】
2006104711.tif 000006
【図５】
2006104711.tif 000007
【図６】
2006104711.tif 000008
【図７】
2006104711.tif 000009
【図８】
2006104711.tif 000010
【図９】
2006104711.tif 000011
【図１０】
2006104711.tif 000012